(57)【要約】【課題】更なる高輝度化が実現可能な面状照明装置を提供する。【解決手段】面状照明装置１０は、複数の点状光源２と、点状光源２の各々が実装される回路基板２０と、点状光源２が対向して配置される端面１ｃ、及び回路基板２０の前端２１側の部分Ｆが固定される面を有する導光板１とを備えており、回路基板２０は、両面接着部材４０の複数の小片状の部分４５を一体化する片面接着部材３０を有する固定部材５０によって、導光板１に固定されている。【選択図】図１
2016139559.tif 000002
【特許請求の範囲】
【請求項１】
複数の点状光源と、前記点状光源の各々が実装される回路基板と、前記点状光源が対向して配置される端面、及び前記回路基板の前端側の部分が固定される面を有する導光板と、を備え、
前記回路基板は、複数の小片状の両面接着部材を一体化する片面接着部材を有する固定部材によって前記導光板に固定されていることを特徴とする面状照明装置。
【請求項２】
前記複数の小片状の両面接着部材は、隣接する前記点状光源間に配置されていることを特徴とする請求項１に記載の面状照明装置。
【請求項３】
前記複数の小片状の両面接着部材は、隣接する前記点状光源間の前方部分に配置されていることを特徴とする請求項２に記載の面状照明装置。
【請求項４】
前記片面接着部材は、前方端辺と、該前方端辺から後方に延びる複数の枝部とを有し、前記複数の小片状の両面接着部材の各々は、前記枝部に固定されていることを特徴とする請求項１から３のいずれか１項に記載の面状照明装置。
【請求項５】
前記片面接着部材は、前記前方端辺と対向する後方端辺を有し、前記後方端辺は、前記点状光源の後方に位置していることを特徴とする請求項４に記載の面状照明装置。
【請求項６】
前記後方端辺は、ハウジングフレームに固定されていることを特徴とする請求項５に記載の面状照明装置。
【請求項７】
前記片面接着部材は、前記前方端辺と前記後方端辺をそれぞれ連結する一対の側端辺を有して、全体として枠状に構成されていることを特徴とする請求項５または６に記載の面状照明装置。
【発明の詳細な説明】
【技術分野】
【０００１】
本発明は、入光端面に光源を配置して出射部から面状の照明光を出射する導光板を備えたサイドライト方式の面状照明装置に関する。
【背景技術】
【０００２】
液晶表示パネルの照明手段として、小型で環境適合性に優れたＬＥＤを導光板の側端面に沿って配置してなるサイドライト方式の面状照明装置（バックライト）が、携帯電話等の小型携帯情報機器の分野を中心に広く採用されている。この種の面状照明装置において、ＬＥＤは、通常、短冊状の回路基板に実装された状態で導光板の入光面に対向配置され、その際、回路基板の前方の部分を、導光板の入光面寄りの部分に両面テープ等の接着部材を介して固定することにより、導光板に対して配置固定される（例えば、特許文献１参照）。
【先行技術文献】
【特許文献】
【０００３】
【特許文献１】特開２００５−２５９３７４号公報
【発明の開示】
【発明が解決しようとする課題】
【０００４】
一般に、回路基板を導光板に固定するために使用される接着部材の配置構成には、実装上及び／または光学特性上の制約があり、場合によっては、接着部材の小片を、互いに孤立した状態で間欠的に（飛島状に）配置する必要がある。しかしながら、特に、面状照明装置において、回路基板として好適に用いられるフレキシブルプリント基板（ＦＰＣ）上に、接着部材として好適に用いられる両面テープを配置する場合、両面テープの小片をＦＰＣに対して飛島状に確実かつ安定に固定することは、次の１）〜３）のような理由により困難であった。
【０００５】
１）両面テープの個々の小片の面積（したがって、ＦＰＣに対する接着面積）が小さいため、ＦＰＣに対する十分な接着力を確保できない。２）ＬＥＤをＦＰＣへ実装する際には、ＦＰＣを高温度にさらす必要があることから、両面テープをＦＰＣ上に固定する作業は、ＦＰＣ上にＬＥＤを実装した後に行う必要がある。このため、手作業により両面テープの小片をＦＰＣに固定する際の作業性が悪く、全体的に均一な圧力によって安定して固定させることが困難な場合がある。３）ＦＰＣのカバーレイの材料、または、カバーレイ上に設けられる光反射部材や光吸収部材等の被着体によっては、両面テープが接着しにくい場合がある。
【０００６】
そして、通常、両面テープは、未使用時に、表裏両面の粘着層を保護する保護部材（以下、剥離ライナーともいう）を有しており、両面テープを介してＦＰＣと導光板とを固着する際には、剥離ライナーを剥がす作業が必要となる。したがって、上述したような理由により両面テープの小片を飛島状にＦＰＣへ確実かつ安定に固定することが困難である場合、両面テープをＦＰＣ上に固定した後に剥離ライナーを剥がす際に、ＦＰＣから両面粘着テープの小片の一部が剥がれる問題が発生するおそれがある。一般に、両面テープの小片が一つでもＦＰＣから剥がれた場合には、導光板に対してＦＰＣ（ひいてはＬＥＤ）を安定して固定することはできず、歩留まりの低下、または、修復作業が必要となる等の作業の煩雑化の要因となる。
【０００７】
特に、近年、面状照明装置の高輝度化に対する要求に対応するために、導光板の入光面に沿って配置するＬＥＤの灯数を更に増加させる必要が生じており、これにともなって、ＬＥＤの狭ピッチ化（すなわち、隣接するＬＥＤ間の間隔を狭くすること）が進んでいることから、接着部材を飛島状の配置構成とする必要性が増してきている。しかるに、このようにＬＥＤの灯数を更に増加させることにより面状照明装置の更なる高輝度化を達成するには、飛島状に配置構成された接着部材を用いて、ＦＰＣを導光板へ確実かつ安定に固定することが困難であるという問題があった。
【０００８】
本発明は、上記課題に鑑みてなされたものであり、更なる高輝度化が実現可能な面状照明装置を提供することを目的とする。
【課題を解決するための手段】
【０００９】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【００１０】
（１）複数の点状光源と、前記点状光源の各々が実装される回路基板と、前記点状光源が対向して配置される端面、及び前記回路基板の前端側の部分が固定される面を有する導光板と、を備え、前記回路基板は、複数の小片状の両面接着部材を一体化する片面接着部材を有する固定部材によって前記導光板に固定されていることを特徴とする面状照明装置（請求項１）。
【００１１】
本項に記載の面状照明装置によれば、回路基板が、複数の小片状の両面接着部材を一体化する片面接着部材を有する固定部材によって導光板に固定されている。よって、固定部材と回路基板との接着については、片面接着部材の接着面による大きな接着面積を確保すると共に、固定部材と導光板との接着については、片面接着部材により一体化された複数の小片状の両面接着部材の接着面により、飛島状に構成することができる。これによって、光学特性上望ましい固定部材の配置構成を実現しつつ、回路基板を導光板に安定かつ確実に固定することができる。
【００１２】
特に、本項に記載の面状照明装置によれば、複数の点状光源の配列ピッチを狭めることによって点状光源の灯数を増加させた場合でも、複数の小片状の両面接着部材を一体化する片面接着部材を有する固定部材を用いて、回路基板への実装上及び光学特性上望ましい固定部材の配置構成を実現できる。そして、回路基板を導光板に安定かつ確実に固定することが可能となるため、点状光源の灯数の増加に基づく面状照明装置の高輝度化の実現に寄与するものである。
【００１３】
尚、本発明において、「接着」という用語は、接合形成後、乾燥、化学変化、温度変化等によって接着剤が固化することにより被接着物を一体化する態様だけでなく、接着剤の固化によらずに非接着物を一体化させる、いわゆる「粘着」（感圧接着）を含む広義の意味で使用されるものである。
【００１４】
（２）（１）項に記載の面状照明装置において、前記複数の小片状の両面接着部材は、隣接する前記点状光源間に配置されていることを特徴とする面状照明装置（請求項２）。
【００１５】
本項に記載の面状照明装置によれば、複数の小片状の両面接着部材が、隣接する点状光源間に配置されている。言い換えれば、両面接着部材は、点状光源の前方部分には配置されず、前方を除いた領域に配置されている。このことによって、点状光源からの出射光が導光板内から固定部材側に透過することを防止するという、光学特性上望ましい固定部材の配置構成を実現し、これによって、面状照明装置の輝度を向上させることが可能となる。
【００１６】
尚、本発明において、「隣接する点状光源間」には、点状光源の側方部分だけでなく、点状光源の側方部分から前方に延長される部分を含む部分（前方部分）、及び、点状光源の側方部分から後方に延長される部分を含む部分（後方部分）も含まれるものである。したがって、本発明において、例えば「隣接する点状光源間の前方部分」という用語は、隣接する点状光源間よりも前方の部分という意味ではなく、上述したように、隣接する点状光源間を構成する点状光源の側方部分並びにその前方部分及び後方部分のうちの前方部分、を意味する。
【００１７】
（３）（２）項に記載の面状照明装置において、前記複数の小片状の両面接着部材は、隣接する前記点状光源間の前方部分に配置されていることを特徴とする面状照明装置（請求項３）。
【００１８】
本項に記載の面状照明装置によれば、複数の小片状の両面接着部材が、隣接する点状光源間の前方部分に配置されていることによって、点状光源からの出射光が導光板内から固定部材側に透過することを防止するという、光学特性上望ましい固定部材の配置構成を実現できる。特に、隣接する点状光源間の間隔（配列ピッチ）が狭い場合に、回路基板の点状光源の側方部分（特に、隣接する点状光源間の側方部分）には両面接着部材を配置しないという実装上望ましい固定部材の配置構成を実現できる。そして、回路基板を導光板に安定かつ確実に固定することができる。
【００１９】
尚、本発明において、複数の小片状の両面接着部材が配置される、隣接する点状光源間の前方部分は、点状光源の側方部分から前方に延長される部分を含むとともに、点状光源から出射される光の指向特性、許容される光の損失、及び回路基板と導光板の接着強度等に応じて、点状光源の側方部分から前方に延長される部分から隣接する点状光源側に広がる部分を有していてもよい。したがって、隣接する点状光源間の前方部分に配置される複数の小片状の両面接着部は、前後方向に見たときに、点状光源の一部と重なる部分を有していてもよい。
【００２０】
（４）（１）〜（３）のいずれか１項に記載の面状照明装置において、前記片面接着部材は、前方端辺と、該前方端辺から後方に延びる複数の枝部とを有し、前記複数の小片状の両面接着部材の各々は、前記枝部に固定されていることを特徴とする面状照明装置（請求項４）。
【００２１】
本項に記載の面状照明装置によれば、片面接着部材は、前方端辺と、その前方端辺から後方に延びる複数の枝部とを有し、複数の小片状の両面接着部材の各々は、枝部に固定されている。この構成により、複数の小片状の両面接着部材が、片面接着部材により一体化されつつ、隣接する点状光源間（特に、その前方部分）に飛島状に配置される固定部材の配置構成を容易に実現することが可能となる。
【００２２】
（５）（４）項に記載の面状照明装置において、前記片面接着部材は、前記前方端辺と対向する後方端辺を有し、前記後方端辺は、前記点状光源の後方に位置していることを特徴とする面状照明装置（請求項５）。
【００２３】
本項に記載の面状照明装置によれば、片面接着部材は、前方端辺と対向する後方端辺を有し、後方端辺は、点状光源の後方に位置している。この構成により、点状光源からの出射光に影響を及ぼすことなく、固定部材と回路基板との接着面積を増大させ、固定部材をより確実かつ安定に回路基板に固定することが可能となる。
【００２４】
（６）（５）項に記載の面状照明装置において、前記後方端辺は、ハウジングフレームに固定されていることを特徴とする面状照明装置（請求項６）。
【００２５】
本項に記載の面状照明装置によれば、ハウジングフレームを備える面状照明装置において、回路基板をより確実かつ安定に装置に組み付けることが可能となる。
【００２６】
（７）（５）または（６）項に記載の面状照明装置において、前記片面接着部材は、前記前方端辺と前記後方端辺をそれぞれ連結する一対の側端辺を有して、全体として枠状に構成されていることを特徴とする面状照明装置（請求項７）。
【００２７】
本項に記載の面状照明装置によれば、固定部材の構造強度、及び固定部材を回路基板に固定する作業の作業性を向上することが可能となる。
【発明の効果】
【００２８】
本発明によれば、以上のような構成により、点状光源が実装される回路基板を導光板に固定するための固定部材の配置構成に対する実装上及び／または光学特性上の要求を満たし、回路基板を導光板に安定かつ確実に固定することが可能となる。
特に、本発明によれば、複数の点状光源の配列ピッチを狭めることによって点状光源の灯数を増加させた場合でも、固定部材を用いて回路基板を導光板に安定かつ確実に固定することが可能となるため、点状光源の灯数の増加に基づく面状照明装置の高輝度化の実現に寄与するものである。
【図面の簡単な説明】
【００２９】
【図１】本発明の一実施形態における面状照明装置の要部を示す平面図である。
【図２】（ａ）は、図１に示す面状照明装置のＡ−Ａ断面をハウジングフレームとともに示す図、（ｂ）は、図１に示す面状照明装置のＢ―Ｂ断面をハウジングフレームとともに示す図である。
【図３】図１に示す面状照明装置において、ＦＰＣ及び固定部材を分解して示す図である。
【発明を実施するための形態】
【００３０】
以下、本発明の実施形態に係る面状照明装置を、図面を参照して説明する。なお、以下に示す各図において、各構成要素の形状、寸法等は、本発明の理解を容易にするため適宜誇張して示されている。
【００３１】
図１及び図２に示すように、面状照明装置１０は、導光板１と、複数（図示の例では、５つ）の点状光源２と、点状光源２の各々が実装される回路基板２０とを備えている。
ここで、図１では、本発明の理解を容易にすることを目的として、導光板１は二点鎖線で、点状光源２は破線で、それぞれ示されている。さらに、面状照明装置１０は、面状照明装置１０を一体のユニットとして保持する枠状のハウジングフレーム５（図２参照）を備えるものであるが、図１では、同様の目的で、その図示は省略されている。
【００３２】
本実施形態において、点状光源２は、青色ＬＥＤと黄色蛍光体とからなる擬似白色ＬＥＤであり、全体として直方体状に形成され、一側面に発光面３（図２参照）を有する所謂サイドビュー型のＬＥＤである。また、回路基板２０は、フレキシブルプリント基板（ＦＰＣ）からなる。以下、本実施形態における構成に従って、点状光源２を、ＬＥＤ２ともいい、回路基板２０をＦＰＣ２０ともいう。
【００３３】
導光板１は、透明材料（例えば、ポリカーボネート樹脂）を用いて上面視矩形状に形成されている。導光板１は、その外表面に、ＬＥＤ２が対向して配置される端面である入光面１ｃと、入光面１ｃと略直交する一方の主平面であり、後述するようにＦＰＣ２０の前端２１側の部分が固定される面である裏面１ｂ（図２参照）と、裏面１ｂに平行に対向する他方の主平面である出射面１ａ（図２参照）とを有している。
【００３４】
ここで、本発明において、導光板１の入光面１ｃから対向端面（図示は省略する）に向かう方向（したがって、ＬＥＤ２の発光面３が向く方向であり、導光方向でもある）を「前方」、裏面１ｂから出射面１ａに向かう方向を「上方」と定義し、前後方向及び上下方向と直交する方向（入光面１ｃの長手方向）を（必要な場合、前方に向かって「右方」及び「左方」を定義して）左右方向ともいう。
【００３５】
また、導光板１は、図２に示すように、その入光面１ｃ寄りの領域に、前方に向かうにしたがって厚みが漸減する楔部６を有しており、楔部６の前方に、楔部６を通って導光されたＬＥＤ２からの光を出射面１ａから出射させる出射部７を有している。楔部６は、前方ほど裏面１ｂ側に近づくように一定の勾配で傾斜する傾斜面６ａを、入光面１ｃの長手方向に沿って１ａ側に設けることにより構成され、出射部７は、厚さが一定の矩形平板状に形成されている。
【００３６】
尚、図示は省略するが、面状照明装置１０は、導光板１の裏面１ｂ側に、裏面１ｂから漏れた光を再度導光板１に戻すための反射シートが配置されるものであってもよく、及び／または、出射部７の出射面１ａ側に、出射面１ａから出射する光の指向性を制御するための拡散シート及びプリズムシートが配置されるものであってもよい。
【００３７】
面状照明装置１０において、ＦＰＣ２０は、固定部材５０によって、その前端２１側の部分が導光板１の裏面１ｂに固定されており、また、後端２２側の部分がハウジングフレーム５の裏面５ｂに固定されている。ここで、ＦＰＣ２０の前端２１側の部分は、ＦＰＣ２０の前端２１からＬＥＤ２までの所定の範囲内の部分であり、本実施形態では、図１及び図２に符号Ｆで示す幅を備えて入光面１ｃの長手方向に延びる帯状の部分に相当する（以下、前端２１側の部分に符号Ｆを付す）。同様に、ＦＰＣ２０の後端２２側の部分は、ＦＰＣ２０の後端２２からＬＥＤ２までの所定の範囲内の部分であり、本実施形態では、図１及び図２に符号Ｒで示す幅を備えて入光面１ｃの長手方向に延びる帯状の部分に相当する（以下、後端２２側の部分に符号Ｒを付す）。
【００３８】
固定部材５０は、第１層を構成する片面接着部材３０と、片面接着部材３０上に固定されて第２層を構成する両面接着部材４０とからなる２層構造を備えている。図３には、固定部材５０が、片面接着部材３０と両面接着部材４０とに分解された形で、各ＬＥＤ２が実装されたＦＰＣ２０と並べて示されている。また、図３に示すＦＰＣ２０には、固定部材５０が配置固定される位置が、二点鎖線で囲まれた領域Ｃとして示されている。
【００３９】
本実施形態において、片面接着部材３０は、例えばＰＥＴフィルム等の基材の片面にアクリル系やシリコーン系等の粘着剤が塗布されてなる片面テープからなり、粘着剤側の面を接着面、基材側の面を非接着面とするものである。また、本実施形態において、両面接着部材４０は、例えばＰＥＴフィルム等の基材の両面にアクリル系やシリコーン系等の粘着剤が塗布されてなる両面テープからなる。
【００４０】
固定部材５０は、片面接着部材３０の非接着面上に、両面接着部材４０を、その一方の接着面により接着固定することによって構成されており、ＦＰＣ２０に対して、片面接着部材３０の接着面によって接着固定されるものである。
【００４１】
そして、ＦＰＣ２０は、その前端２１側の部分に配置された両面接着部材４０（その構成の詳細については後述する）の、片面接着部材３０との接着に用いられた側とは反対側の接着面を、導光板１の裏面１ｂに対して接着固定することによって、導光板１に対して固定される。さらに、本実施形態では、ＦＰＣ２０は、その後端２２側の部分に配置された両面接着部材４０（その構成の詳細については後述する）の、片面接着部材３０との接着に用いられた側とは反対側の接着面を、ハウジングフレーム５の裏面５ｂに対して接着固定することによって、ハウジングフレーム５に対して固定される。
【００４２】
図１には、固定部材５０が配置固定されたＦＰＣ２０が、両面接着部材４０の（導光板１及びハウジングフレーム５との接着に用いられる）接着面側から示されている。尚、図１に示す固定部材５０のうち、両面接着部材４０の部分は、砂地状のパターンで示されている。
【００４３】
ここで、図３に示すように、片面接着部材３０は、固定部材５０をＦＰＣ２０の所定の位置Ｃに固定したときに、ＦＰＣ２０の前端２１側の部分（したがって、各ＬＥＤ２の前方）に配置され、導光板１ｃの長手方向に沿って延びる前方端辺３１と、ＦＰＣ２０の後端２２側の部分（したがって、各ＬＥＤ２の後方）に前方端辺３１と対向して配置され、導光板１ｃの長手方向に沿って延びる後方端辺３２とを有している。さらに、片面接着部材３０は、前方端辺３１と後方端辺３２とをそれぞれ連結し、固定部材５０をＦＰＣ２０の所定の位置Ｃに固定したときに５個のＬＥＤ２の配置位置の外側に配置される一対の側端辺３３、３４も有している。これによって、片面接着部材３０は、全体として５個のＬＥＤ２の配置位置を取り囲む枠状に構成されている。
【００４４】
そして、片面接着部材３０は、その前方端辺３１から後方に延びる複数の枝部３５を有しており、各枝部３５は、固定部材５０をＦＰＣ２０の所定の位置Ｃに配置固定したときに、隣接するＬＥＤ２間に配置される位置に設けられている。さらに、各枝部３５の前後方向の長さは、固定部材５０をＦＰＣ２０の所定の位置Ｃに配置固定したときに、枝部３５の先端が、ＦＰＣ２０の前端２１側の部分Ｆに含まれるように設定されており、言い換えれば、各枝部３５は、隣接するＬＥＤ２間の前方部分に配置されるものである。図示された面状照明装置１０では、一列に配列された５つのＬＥＤ２の配置構成に対して、隣接するＬＥＤ２間のそれぞれに対応する４つの枝部３５が設けられている。
【００４５】
両面接着部材４０には、複数の小片状の部分（小片状の両面接着部材）４５と、全体として１つのコ字状をなす部分４２、４３、４４とが含まれる。面状照明装置１０では、片面接着部材３０の４つの枝部３５に対応して、両面接着部材４０は、４つの小片状の部分４５を有しており、４つの小片状の部分４５の各々は、それぞれ対応する片面接着部材３０の枝部３５の非接着面上に接着固定される。これによって、固定部材５０において、両面接着部材４０のうちの４つの小片状の部分４５は、片面接着部材３０によって一体化されるとともに、小片状の部分４５の各々は、固定部材５０をＦＰＣ２０の所定の位置Ｃに配置固定したときに、隣接するＬＥＤ２間の前方部分に配置されることになる。
【００４６】
尚、本発明において、両面接着部材４０の小片状の部分４５が片面接着部材３０の枝部３５に固定される態様は、図１に示すように、両面接着部材４０の小片状の部分４５が、前方に向かって、枝部３５の左右方向の幅と同じ幅（または、それ以下の幅）を有しつつ片面接着部材３０の前方端辺３１の範囲内にまで延びる部分を有する場合を含むものである。
【００４７】
ここで、本実施形態では、両面接着部材４０のうちのコ字状の部分４２、４３、４４は、後方端辺部４２と、後方端辺部４２の両端部からそれぞれ前方に延びる一対の腕部４３、４４を有しており、後方端辺部４２及び一対の腕部４３、４４が、それぞれ片面接着部材３０の後方端辺３２及び一対の側端辺３３、３４の非接着面上に接着固定される。したがって、本実施形態において、片面接着部材３０は、両面接着部材４０のコ字状の部分４２、４３、４４も含めてその全体を一体化するものである。
【００４８】
固定部材５０において、ＦＰＣ２０の前端２１側の部分Ｆに配置され、導光板１の裏面１ｂ及に対して接着固定される部分は、両面接着部材４０の４つの小片状の部分４５、及び一対の腕部４３、４４の前方部分によって構成される。したがって、図１及び図２に示すように、両面接着部材４０は、各ＬＥＤ２の前方部分には配置されていない。また、固定部材５０において、ＦＰＣ２０の後端２２側の部分Ｒに配置され、ハウジングフレーム５の裏面５ｂ及に対して接着固定される部分は、両面接着部材４０の後方端辺部４２及び一対の腕部４３、４４の後方部分によって構成される。なお、一対の腕部４３、４４は、言い換えれば、列状に並べられた複数のＬＥＤ２の両端に位置するＬＥＤ２の、隣接するＬＥＤ２が存在しない側の領域に位置する両面接着部材４０である。この領域は、一般的には、隣接するＬＥＤ２間と比較して、幅を広く確保することができる。
【００４９】
以上のように構成された面状照明装置１０の作用効果について説明する。
面状照明装置１０では、ＦＰＣ２０を導光板１に固定するための固定部材５０が、片面接着部材３０と、片面接着部材３０により一体化された両面接着部材４０の複数の小片状の部分４５を有している。これにより、固定部材５０とＦＰＣ２０との接着については、片面接着部材３０の接着面による大きな接着面積を確保することができる。固定部材５０と導光板１との接着については、片面接着部材３０により一体化された両面接着部材４０の複数の小片状の部分４５の接着面により、飛島状に構成することができる。この結果、光学特性上望ましい固定部材５０の配置構成を実現しつつ、ＦＰＣ２０を導光板１に安定かつ確実に固定することができる。
【００５０】
特に、面状照明装置１０によれば、複数のＬＥＤ２の配列ピッチを狭めることによってＬＥＤ２の灯数を増加させた場合でも、固定部材５０を用いて、ＦＰＣ２０への実装上及び光学特性上望ましい固定部材５０の配置構成を実現しつつ、ＦＰＣ２０を導光板に安定かつ確実に固定することが可能となるため、ＬＥＤ２の灯数の増加に基づく面状照明装置１０の高輝度化の実現に寄与するものである。
【００５１】
より具体的には、面状照明装置１０では、両面接着部材４０の複数の小片状の部分４５を、隣接するＬＥＤ２間に配置することにより、両面接着部材４０を各ＬＥＤ２の前方部分（光出射方向）に配置することなく（ＬＥＤ２の前方を除いた領域に）飛島状に配置した構成が実現されており、この構成により、次のような作用効果を奏する。
【００５２】
一般に、ＬＥＤ２の前方部分に両面接着部材４０が配置され、したがって導光板１の外表面（この場合、裏面１ｂ）と両面接着部材４０の接着層（接着剤または粘着剤）との界面が、ＬＥＤ２の前方部分に存在している場合、ＬＥＤ２の前方に出射されて上記界面に到達した光は、その多くが透過光として接着層側に進入し、この界面で反射して導光板１の内部へと伝播する光が減少する結果、面状照明装置１０の輝度が低下する。
【００５３】
しかるに、面状照明装置１０では、両面接着部材４０を各ＬＥＤ２の前方部分に配置することなく飛島状に配置した構成が実現されている。このため、例えば図２（ａ）に示すように、各ＬＥＤ２の前方において、導光板１の裏面１ｂと固定部材５０の片面接着部材３０との間には空気層が存在するだけであるため、ＬＥＤ２の前方に出射されて導光板１の裏面１ｂに到達した光は、導光板１と空気との界面における通常の反射によって導光板１の内部へ導かれる。このように、面状照明装置１０では、ＬＥＤ２からの出射光が導光板１内から固定部材５０側に透過することを防止するという、光学特性上望ましい固定部材５０の配置構成が実現され、これによって、面状照明装置１０の輝度を向上させることが可能となるものである。
【００５４】
特に、面状照明装置１０では、両面接着部材４０の複数の小片状の部分４５を、隣接するＬＥＤ２間の前方部分に配置することにより、両面接着部材４０を各ＬＥＤ２の前方部分にも、各ＬＥＤ２の側方部分にも配置することなく、飛島状に配置した構成が実現されている。これによって、ＬＥＤ２の灯数を増加させるために複数のＬＥＤ２の配列ピッチを狭めたことにより、ＦＰＣ２０の各ＬＥＤ２の側方部分に両面接着部材４０を配置固定するための十分なスペースが確保できない場合においても、上述したような意味で光学特性上望ましく、かつＦＰＣ２０への実装上望ましい固定部材５０の配置構成が実現され、これによって、面状照明装置１０の輝度を更に向上させることが可能となる。
【００５５】
尚、本発明において、ＬＥＤ２の前方部分（ひいては、隣接ＬＥＤ２間の前方部分）は、ＬＥＤ２から出射される光の指向特性、許容される光の損失、及びＦＰＣ２０と導光板１の接着強度等の条件に応じて決まるものである。この際、ＬＥＤ２の前方部分は、必ずしも、ＬＥＤ２の外形の左右方向の全長に対応する幅を有して前方に延びるものでなくともよい。これに対応して、両面接着部材４０の小片状の部分４５（及び、腕部４３、４４のＬＥＤ２よりも前方の部分）の左右方向の幅、並びに、隣接する小片状の部分４５間の間隔（及び、腕部４３、４４から、それぞれ隣接する小片状の部分４５までの間隔）は、上記の条件を考慮の上、適宜設定される。したがって、両面接着部材４０の複数の小片状の部分４５（及び、腕部４３、４４のＬＥＤ２よりも前方の部分）には、前後方向に見た場合に、ＬＥＤ２の一部と重なる部分があってもよい。
【００５６】
そして、面状照明装置１０は、従来の両面接着部材のみで構成された固定部材では、上述したような光学特性上及び／または実装上望ましい固定部材５０の配置構成を実現しつつ、ＦＰＣ２０を導光板１に確実かつ安定に固定することが困難であったことに対して、片面接着部材３０により一体化された複数の小片状の両面接着部材（複数の小片状の部分４５）を有する固定部材５０により、ＦＰＣ２０を導光板１に固定するという解決手段を与えたものである。
【００５７】
特に、面状照明装置１０のように、片面接着部材３０が片面テープからなり、両面接着部材４０が両面テープからなるとともに、固定部材５０を、片面テープ（以下、符号３０を付す）の非接着面上に、両面テープ（以下、符号４０を付す）を接着固定してなる２層構造を備えるように構成した場合には、次のような作用効果を奏するものである。
【００５８】
まず、このような構成の固定部材５０は、ＦＰＣ２０に固定する前に別工程で予め作製することが可能であるため、その作製が容易である。むしろ、固定部材５０の作製方法として、例えば、シート状の片面テープ３０に両面テープ４０を接着固定した後に、所定形状に裁断する方法を採用することによって、固定部材５０を量産性よく作製することができる。また、このように予め作製された固定部材５０をＦＰＣ２０上に配置固定する工程は、小片状の両面テープ４０を直接ＦＰＣ上に配置固定する工程と比較して、遥かに作業性が高い。
【００５９】
さらに、固定部材５０を作製する工程において、両面テープ４０の小片状の部分４５は、所定の圧力を機械的に加えた状態で、片面テープ３０の非接着面上に接着固定することができるため、両面テープ４０の小片状の部分４５を、確実かつ均一に片面テープ３０上に固定することができる。このため、固定部材５０をＦＰＣ２０上に配置固定した後に、ＦＰＣ２０を導光板１に固定するために両面テープ４０の剥離ライナーを剥がす際に、小片状の部分４５が片面テープ３０から剥がれることが抑制され、また、固定部材５０を両面テープ４０により導光板１に接着させた後も、両面テープ４０の小片状の部分４５が片面テープ３０から剥がれることが抑制される。
【００６０】
さらに、固定部材５０のＦＰＣ２０への接着は、片面テープ３０の接着面によって実施されることから、両面テープ４０の小片状の部分４５を直接ＦＰＣ２０に接着する場合と比較して、ＦＰＣ２０と固定部材５０との接着面積を大きくすることができ、このため、ＦＰＣ２０から固定部材５０が剥がれることも抑制されるものである。
【００６１】
このように、本実施形態における固定部材５０によれば、ＦＰＣ２０を導光板１に安定かつ確実に固定することが可能となるとともに、従来の両面テープ４０のみを用いた固定部材（互いに孤立した状態の、小片状の両面テープ）を備える面状照明装置と比較して、装置の製作工程の作業効率を向上させ、かつ歩留まりを向上させることが可能となる。
【００６２】
加えて、面状照明装置１０では、固定部材５０の片面接着部材３０が、前方端辺３１と、前方端辺３１から後方に延びる複数の枝部３５とを有し、両面接着部材４０の複数の小片状の部分４５の各々は、枝部３５に固定されていることにより、両面接着部材４０の複数の小片状の部分４５が、片面接着部材３０により一体化されつつ、隣接するＬＥＤ２間（特に、その前方部分）に飛島状に配置される固定部材５０の配置構成を容易に実現することが可能となる。
【００６３】
また、面状照明装置１０では、片面接着部材３０が、前方端辺３１と対向する後方端辺３２を有し、この後方端辺３２は、ＬＥＤ２の後方に位置していることから、ＬＥＤ２からの出射光に影響を及ぼすことなく、固定部材５０とＦＰＣ２０との接着面積を更に増大させ、固定部材５０をより確実かつ安定にＦＰＣ２０に固定することが可能となる。
【００６４】
また、面状照明装置１０では、片面接着部材３０の後方端辺３２は、両面接着部材４０の後方端辺部４２を介して、ハウジングフレーム５に固定されていることから、ＦＰＣ２０をより確実かつ安定に面状照明装置１０に組み付けることが可能となる。
【００６５】
また、面状照明装置１０では、片面接着部材３０は、前方端辺３１と後方端辺３２をそれぞれ連結する一対の側端辺３３、３４を有して、全体として枠状に構成されていることから、固定部材５０の構造強度を向上させるとともに、固定部材５０をＦＰＣ２０に固定する作業の作業性を向上させることが可能となる。
【００６６】
以上、本発明の好ましい実施形態について説明してきたが、本発明は上述した実施形態によって限定されるものではない。
例えば、本発明に係る面状照明装置は、ＦＰＣ２０を導光板１のみに固定するものであってもよい。この場合、両面接着部材４０のコ字状の部分４２、４３、４４のうち、後端辺部４２、及び、一対の腕部４３、４４のＦＰＣ２０の前端２１側の部分Ｆに含まれない部分は不要である。また、この場合、複数のＬＥＤ２のうち、最右端に位置するＬＥＤ２の右斜め（隣接するＬＥＤ２が存在しない側）前方、及び、最左端に位置するＬＥＤ２の左斜め（隣接するＬＥＤ２が存在しない側）前方に、一対の腕部４３、４４の前方部分に相当する両面接着部材４０の小片状の部分が配置されるものであってもよい。また、両面接着部材４０は、後端辺部４２を有する場合でも、一対の腕部４３、４４の前方部分に相当する部分が、後端辺部４２と連結していない小片状の部分から構成されるものであってもよい。
【００６７】
また、本発明に係る面状照明装置において、固定部材５０は、隣接するＬＥＤ２間において、ＬＥＤ２の側方部分に配置された片面接着部材３０や両面接着部材４０を含むものであってもよい。この場合、固定部材５０と導光板１との接着面積が増加するため、ＦＰＣ２０をより一層確実かつ安定に面状照明装置１０に組み付けることが可能となる。
【００６８】
また、本発明に係る面状照明装置において、ＦＰＣ２０は、導光板１の出射面１ａ側に固定されるものであってもよい。この際、導光板１のように、楔部６を有する導光板１の出射面１ａ側にＦＰＣ２０を固定する場合には、楔部６にＦＰＣ２０を固定するための台座を設け、その台座上にＦＰＣ２０を固定するものであってもよい。
【００６９】
また、本発明に係る面状照明装置において、両面接着部材４０の小片状の部分４５の形状は、平面視矩形状でなくともよい。例えば、複数の小片状の部分４５は、ＬＥＤ２からの出射光の広がりに応じて、その出射光の小片状の部分４５への到達を避けるように、前方ほど先細りになる形状であってもよい。
【００７０】
また、本発明に係る面状照明装置において、両面接着部材４０は、両面が接着面となり得る部材である限り、両面テープのように基材の両面に粘着剤が塗布されてなる構成を備えるものでなくともよく、例えば、基材を備えることなく、粘着剤のみからなる形態を備えるものであってもよい。
【００７１】
また、本発明に係る面状照明装置において、片面接着部材３０の形状は、枠状に限定されるものではない。例えば、片面接着部材３０は、後方端面３２を有することなく、前方端辺３１と、前方端辺３１から延びる複数の枝部３５を有して（必要に応じて、一対の側端辺３３、３４の前方部分に相当する、前方端辺３１の両端から延びる枝部を含めて）、全体として櫛状に形成されていてもよい。この場合、両面接着部材４０は、主として複数の枝部３５上に固定される小片状の部分４５（及び、片面接着部材３０が前方端辺３１の両端から延びる枝部を有し、かつその枝部上にも両面接着部材４０が固定される構成の場合には、対応する小片状の部分）からなるものである。逆に、片面接着部材３０は、前方端辺３１を有することなく、後方端辺３２と、後方端辺３２から前方に延びる複数の枝部（及び、必要に応じて、一対の側端辺３３、３４の後方部分に相当する、後方端辺３２の両端から延びる枝部）を有する形状であってもよい。この場合、両面接着部材４０は、主として、後方端辺３２から延びる複数の枝部上に固定される小片状の部分（及び、片面接着部材３０が後方端辺３２の両端から延びる枝部を有し、かつその枝部上にも両面接着部材４０が固定される構成の場合には、対応する小片状の部分）からなるものである。
【００７２】
また、本発明に係る面状照明装置において、片面接着部材３０は、一対の側端辺３３、３４のいずれか一方または両方を有しない形状であってもよい。
【符号の説明】
【００７３】
１０：面状照明装置、２：点状光源（ＬＥＤ）、３：発光面、１：導光板、１ａ：出射面、１ｂ：裏面、１ｃ：入光面、２０：回路基板（ＦＰＣ）、２１：前端、３０：片面接着部材（片面テープ）、３１：前方端辺、３２：後方端辺、３３，３４：側端辺、３５：枝部、４０：両面接着部材（両面テープ）、４５：小片状の部分、５０：固定部材、Ｆ：前端側の部分、Ｒ：後端側の部分
【図１】
2016139559.tif 000003
【図２】
2016139559.tif 000004
【図３】
2016139559.tif 000005